(57)【要約】      （修正有）【課題】書籍カバー等に設けられた孔や糸輪やゼムクリップ等の係止具に、アクセサリーのごとくいつでも容易に取り付けたり取り外したりできる、構造や使用方法が簡単なしおりを提供する。【解決手段】しおり紐の一端に、引き輪１やナスかんなどの留め金（アクセサリーの留め金具）を設けたので、該留め金を利用して書籍カバー４等に設けられた孔や糸輪やゼムクリップ５等の係止具に、アクセサリーのごとくいつでも容易に取り付けたり取り外したりすることができる。【選択図】図５
0003138199.tif 000002
【実用新案登録請求の範囲】
【請求項１】
しおり紐の一端に、留め金（アクセサリーの留め金具）を設けた留め金付しおり。
【考案の詳細な説明】
【技術分野】
【０００１】  本考案は、しおり紐の一端に留め金（アクセサリーの留め金具）を設けた、留め金付しおりに関するものである。
【背景技術】
【０００２】  従来、しおり紐には書籍や書籍カバー等に接着固定されたものや、紙を挟むクリップとしおり紐が接着固定又は取替可能な連結方法で一体化され、書籍や書籍カバーの一部にクリップを挟み込んで用いる着脱式のしおり（特許文献１参照。）などがあった。
【特許文献１】特開２００４−１４２２７８号
【考案の開示】
【考案が解決しようとする課題】
【０００３】  書籍や書籍カバー等に接着固定されたしおり紐は、別の色のしおり紐を使いたいと思ったり、破損したり汚れたりしても、取り替える事が困難であった。しおり紐が取替可能な着脱式のしおりは、しおり紐に連結された取り付け用の糸や紐をクリップに結び付けたり、またはしおり紐に連結されたリングをクリップに通し、クリップの頭部まで移動させたりして、クリップとしおり紐を一体化させなければならず、手間がかかったし、しおり紐を取り付けるものはクリップに限定され、選択肢がなかった。【０００４】  本考案は、このような従来の課題を解決し、構造や使用方法が簡単なしおりを提供することを目的とする。
【課題を解決するための手段】
【０００５】  本考案は、しおり紐の一端に引き輪やナスかんなどの留め金（アクセサリーの留め金具）を設けることにより、書籍カバー等に設けられた孔や糸輪やゼムクリップ等の係止具に、アクセサアリーのごとく容易に取り付け取り外しができるようにすることにより、問題点を解決している。
【考案の効果】
【０００６】  上述の様に、本考案の留め金付しおりは、しおり紐の一端に引き輪やナスかん等の留め金を設けたので、書籍カバー等に設けられた孔や糸輪やゼムクリップ等の係止具に、アクセサリーのごとくいつでも容易に取り付け取り外しができ、必要なら読書中でも即座に交換が可能である。
【考案を実施するための最良の形態】
【０００７】  以下、本考案の第１実施例を図１に基づき説明する。本実施例は、しおり紐２の一端に引き輪１を連結した、留め金付しおりである。連結方法は、しおり紐２を引き輪１に通して、適宜の長さの所で折り、重なった部分２２に接着剤を塗布したり、両面テープを貼ったり、又は縫い付けるなどしてしおり紐２が重なった部分２２を固着する。【０００８】  本考案の第１実施例は、上述の如き構成からなるものであるから、しおり紐２は書籍等のページ間に挟んで用いることは勿論であるが、引き輪１の引きピン１１を指で引き、引き軸１２を移動させ、開閉部分を開いて引き輪１に書籍カバー４等に設けられた孔４ａやゼムクリップ５に挿入し、引きピン１１を指から離すことにより、引き軸１２が戻って環となり、書籍カバー４等にアクセサリーのごとく装着することができる。【０００９】  図２は第２実施例である。本実施例は、適宜の長さのしおり紐２ａの一端に引き輪１を連結させ、他端をページ間に挟み込んで用いる板状のしおり（以下板状しおりとする。）３の上部に設けた孔に連結させた、留め金付しおりである。さらに図では、板状しおり３の下部に孔を設け、適宜の長さのしおり紐２ｂを連結させているが、なくてもしおりの機能を果たすことができる。【００１０】  板状しおり３は、厚紙や金属や合成樹脂など薄い板状になる素材ならどんなものでも良いし、上下部に設けられた孔は、図に示すように直接孔をあけても良いが、孔をあけたくない又はあけられない場合、適宜に小さくし孔を設けた板状しおり３を、接着剤のついたテープなどで板状しおり３に接着して、孔を設けても良い。また、適宜の大きさ・形の接着剤のついたテープや紙などを端を残して折り、重なった部分に孔をあけ、板状しおり３に端を貼って、孔を設けても良い。
前述した孔は図に示す丸やハート形・星形などどのような形でも良いし、しおり紐を連結させることができればどのような大きさでも良い。【００１１】  本実施例は、上述の如き構成からなるものであるから、材料・デザイン・大きさ・色等が豊富な板状しおり３を、落ちる心配がなく使用できる。【００１２】  上述した各実施例では、引き輪１を用いたが、その代わりに引き輪１と同じ構造のナスかん１ａを用いても良い。また、各実施例のしおり紐は、通常のしおり紐と同様に糸で編んだものでも良いし、適宜の厚さや巾の不織布や金属や合成樹脂を固めたものでも良い。【００１３】  図３は第３実施例である。本実施例は、糸輪のしおり紐２ｃの一端にナスかん１ａを連結させ、他端を板状しおり３の上部に設けた孔と連結させた、留め金付しおりである。
さらに図では、板状しおり３の下部に孔を設けて適宜の長さの糸輪２ｄを一つ連結させているが、二つ以上並列に連結させれば、長さが足りない場合、孔から取り外して別の糸輪２ｄに直列に連結させれば長くすることができる。糸輪２ｄは、必要がなければなくても良い。また、ナスかん１ａの代わりに引き輪１を用いても良い。【００１４】  糸輪のしおり紐２ｃの連結方法は、ナスかん１ａや板状しおり３の下部に設けられた孔に、糸輪のしおり紐２ｃの一端を少し通し出た輪に、他端をくぐらせて通し連結する。板状しおり３は、固着されていないので、孔を設けた手作りのしおりや写真などと交換する事が可能であるし、無色又は有色の透明なプラスチック板を用いると、文字が透けて読む事ができるので、取り除く手間をかけることなく、そのまま読み進む事ができる。【００１５】  図４は、第４実施例である。本実施例は、糸輪のしおり紐２ｃの一端に引き輪１を連結し、他端を学習時に用いる赤や緑などの透明なプラスチック板３ａを連結した、留め金付しおりである。糸輪のしおり紐２ｃは、参考書６より長くすると便利である。【００１６】  プラスチック板３ａは、すべり易いので書籍から落ちて紛失し易く、紛失すると学習に支障をきたすことになるので、電車の中など屋外での学習は、落ちないように神経を使うことになる。しおり紐２ｃと連結する事により、安心して使え、屋外でも学習に集中する事ができる。【００１７】  上述した第３実施例および第４実施例では、糸輪のしおり紐２ｃ及び糸輪２ｄを用いているが、これに代えて両端に輪をもうけた一本の糸でも良いし、一本の糸を結び付けて用いても良い。一本の糸では太さによっては切れ易いので、鎖状やみつ編みなどに編んだものでも良い。また、鎖状の金属を用いても良い。【００１８】  上述した各実施例では、留め金として引き輪１又はナスかん１ａを用いているが、しおり紐を連結させる事ができ、書籍カバー４等に設けられた孔４ａや糸輪やゼムクリップ５等の係止具に取り付ける事ができれば、どんな留め金でも良い。【００１９】  図５は、第１実施例の使用例である  書籍カバー４に取り付けられたゼムクリップ５に、しおり紐２の一端に設けられた引き輪１を取り付け、書籍のページ間にしおり紐２が挟み込まれている。第２実施例及び第３実施例も同じように使用できる。。【００２０】  図６は、第１実施例の別の使用例である。書籍カバー４に設けられた孔４ａに、しおり紐２の一端に設けられた引き輪１を取り付け、書籍のページ間にしおり紐２が挟み込まれている。第２実施例及び第３実施例も同じように使用できる。【００２１】  上述した各使用例において、ゼムクリップ５の太さやの書籍カバー４に設けられた孔４ａの位置によっては、留め金を取り付ける事が困難な場合がある。そのような場合は、ゼムクリップや孔４ａに適宜に短くした糸輪２ｄを連結させたり、又は糸輪２ｄを別の適宜の場所に縫い付けるなどして取り付けて、該糸輪２ｄに留め金を取り付けても良い。（図示せず。）【００２２】  図７は、第４実施例の使用例である。書籍カバー４に取り付けられたゼムクリップ５に、糸輪のしおり紐２ｃの一端に設けられた引き輪１を取り付けたので、他端に連結されたプラスチック板３ａを���考書６のページの上下左右自由に動かして学習できる。手が離れてもプラスチック板３ａは落ちない。
【図面の簡単な説明】
【００２３】
【図１】本考案の第１実施例を示す斜視図である。
【図２】本考案の第２実施例を示す斜視図である。
【図３】本考案の第３実施例を示す斜視図である。
【図４】本考案の第４実施例を示す斜視図である。
【図５】第１実施例の使用説明図である。
【図６】第１実施例の別の使用説明図である。
【図７】第４実施例の使用説明図である。
【符号の説明】
【００２４】１  引き輪
１ａ  ナスかん
１１  引きピン
１２  引き軸２
２  しおり紐
２ａ  しおり紐
２ｂ  しおり紐
２ｃ  糸輪
２ｄ  糸輪
２２  しおり紐が重なった部分
３  板状しおり
３ａ  プラスチック板
４  書籍カバー
４ａ  書籍カバーに設けられた孔
５  ゼムクリップ
６  参考書
【図１】
0003138199.tif 000003
【図２】
0003138199.tif 000004
【図３】
0003138199.tif 000005
【図４】
0003138199.tif 000006
【図５】
0003138199.tif 000007
【図６】
0003138199.tif 000008
【図７】
0003138199.tif 000009
【手続補正書】
【提出日】平成19年9月18日(2007.9.18)
【手続補正１】
【補正対象書類名】実用新案登録請求の範囲
【補正対象項目名】全文
【補正方法】変更
【補正の内容】
【実用新案登録請求の範囲】
【請求項１】
しおり紐の一端に、留め金を設けた留め金付しおり。